(57)【要約】【課題】  合成樹脂製の把手が強固にガラス容器に固定され、使用中にガラス容器が把手から離脱することがなく、また部品点数が少なく組立も容易な飲料サーバーを提供する。【解決手段】  飲料サーバーは、ガラス容器１と、その隘部５の外周を包囲する合成樹脂製のバンド２と、このバンド２と一体の環状の把手３とを具備する。把手３は手指を挿入して握持可能である。把手３は、バンド２の両端の一対の半部７，８を結合してなる。半部７は、係合溝９を有し、その両側に一対の環状の外周壁１０，１１が起立する。半部８は、半部７の係合溝９に挿入できるように突出する係合突片１２を有する。半部７の外周壁１０，１１の少なくとも一方と、半部８の係合突片１２は、当該係合突片１２を係合溝９内に挿入したときに、互いにスナップ係合する係合部１１ａ，１２ａをそれぞれ有する。【選択図】  図１
2006136439.tif 000002
【特許請求の範囲】
【請求項１】
上部に開口を有し、開口の下部に隘部を有する横断面円形のガラス容器と、このガラス容器の隘部の外周を包囲する合成樹脂製のバンドと、このバンドと一体に設けられ手指を挿入して握持可能な環状の把手とを具備し、
前記把手は、前記バンドの両端に一体形成された一対の環状の半部を互いに結合してなり、
前記把手を構成する一方の半部は、係合溝と、この係合溝の両側に形成された一対の外周壁とを具備し、
前記把手を構成する他方の半部は、前記一方の半部の係合溝に挿入できるように突出する係合突片を具備し、
前記一方の半部の前記外周壁の少なくとも一方と、前記他方の半部の前記係合突片には、当該係合突片を前記係合溝内に挿入したときに互いにスナップ係合する係合部がそれぞれ形成されることを特徴とする飲料サーバー。
【請求項２】
前記把手を構成する一方の半部の係合溝と外周壁は、一方の半部のほぼ全域にわたって連続的に形成され、
前記把手を構成する他方の半部の係合突片は、他方の半部のほぼ全域にわたって連続的に突出し、
前記一方の半部の前記外周壁の少なくとも一方と、前記他方の半部の前記係合突片の係合部は、それぞれ前記外周壁及び係合突片のほぼ全域にわたって連続的に形成されることを特徴とする請求項１に記載の飲料サーバー。
【請求項３】
前記バンドのほぼ中央部に、このバンドに延長方向の弾性を付与するための半波形状の波形部が半径方向外側に突出して形成されることを特徴とする請求項１又は２に記載の飲料サーバー。
【請求項４】
前記バンドの両端部付近に、半径方向内側に突出して先端が前記容器の外周に当接する一対の締め付けリブが形成されることを特徴とする請求項１ないし３のいずれかに記載の飲料サーバー。
【発明の詳細な説明】
【技術分野】
【０００１】
この発明は、合成樹脂製の把手を備えたガラス容器から成る飲料サーバーに関し、特にマイクロ波加熱に適用できるように、把手に金属部品を用いることなく構成され、組み立てが容易で、安全性が高い飲料サーバーに係るものである。              
【背景技術】
【０００２】
合成樹脂製の把手を備えたガラス容器から成る飲料サーバーで、把手に金属部品を用いることなく構成された従来例を図６に示す。この飲料サーバーは、ガラス容器２１の開口２４の下部に隘部２５を設け、隘部２５の外周を合成樹脂製のバンド２２で包囲し、このバンド２２と一体に把手２３を設けたもので、バンド２２は、両端部を相互に重合し、合成樹脂製のファスナ３１にて結合したものである（特許文献１参照）。
【特許文献１】特開平８−７０９７３号公報
【発明の開示】
【発明が解決しようとする課題】
【０００３】
上記従来の飲料サーバーにおいては、バンド２２の両端部を相互に重合し、合成樹脂製のファスナ３１にて両者を結合したものであるため、何らかの原因でファスナ３１が抜け落ちると、バンド２２が開いてガラス容器２１が落下する可能性がある。また、製品の組み立て作業において、ファスナ３１を圧入する工程に手間がかかるし、結合の確認も容易でないという問題点がある。従って、本発明は、マイクロ波低損失のガラス容器と合成樹脂製の把手とから構成される飲料サーバーであって、把手が強固にガラス容器に固定され、使用中にガラス容器が把手から離脱することがなく、また部品点数が少なく組立も容易なものを提供することを課題としている。
【課題を解決するための手段】
【０００４】
本発明においては、上記課題を解決するため、上部に開口４を有し、開口４の下部に隘部５を有する横断面円形のガラス容器１と、このガラス容器１の隘部５の外周を包囲する合成樹脂製のバンド２と、このバンド２と一体に設けられる環状の把手３とを具備させて飲料サーバーを構成する。把手３は、バンド２の両端に一体形成された一対の環状の半部７，８を互いに結合してなり、手指を挿入して握ることができる。把手３を構成する一方の半部７には、係合溝９を形成する。係合溝９は半部７の全域にわたって連続する環状溝とすることができる。係合溝９は、接合面７ａ側に開放する。係合溝９の両側には、一対の外周壁１０，１１を形成する。外周壁１０，１１も連続的に形成することができる。把手３を構成する他方の半部８には、一方の半部７の係合溝９に挿入できるように、接合面８ａから突出する係合突片１２を具備させる。係合突片１２も半部８の全域にわたって連続的に設けることができる。一方の半部７の外周壁１０，１１の少なくとも一方と、他方の半部８の係合突片１２には、当該係合突片１２を係合溝９内に挿入したときに、互いにスナップ係合する係合部１１ａ，１２ａをそれぞれ形成する。
【発明の効果】
【０００５】
本発明の飲料サーバーにおいては、バンド２の両端に一体に設けられた一対の半部７，８を相互にスナップ係合させることにより、把手３を強固にガラス容器１に固定するから、部品点数が少なく組み立て作業が容易である。使用中には、手指を環状の把手３に挿入してこれを握るので、万一、把手３の半部７，８同士の係合が外れても、ガラス容器１が把手３から離脱することがなく、安全である。
【発明を実施するための最良の形態】
【０００６】
図面を参照してこの発明の実施の形態を説明する。図１は本発明の飲料サーバーの一部を切り欠いた平面図、図２は本発明の飲料サーバーの断面図、図３は図２におけるIII−III断面図、図４はバンドと把手の装着前の状態の平面図、図５はバンドと把手の装着前の状態の正面図である。    
【０００７】
飲料サーバーは、ガラス容器１と、合成樹脂製のバンド２と、バンド２と一体の把手３とを具備する。
【０００８】
ガラス容器１は、ほぼ截頭円錐筒状で、上部に開口４を有する。ガラス容器１の上部は、隘部５を介して上方に広がっている。開口４の縁には、ほぼＶ字状に屈曲した溝型の注ぎ口６が形成されている。
【０００９】
バンド２は、例えばポリプロピレンのような、耐熱性でマイクロ波低損失の弾性合成樹脂で形成され、ガラス容器１の隘部５の外周を包囲している。把手３はバンド２と一体に形成され、手指を挿入して握持可能な環状をなしている。
【００１０】
把手３は、バンド２の両端に一体形成された一対の環状の半部７，８を互いに結合してなる。バンドで容器１の隘部５を包囲した状態で、半部７，８が互いに結合される。
【００１１】
把手３を構成する環状の一方の半部７は、環の全域にわたって連続する係合溝９を具備する。この係合溝９は、一対の環状の外周壁１０，１１間に形成され、接合面７ａ側に開放する。外周壁１１には、係合溝９の内側に突出する係合突条１１ａが形成される。
【００１２】
把手３を構成する環状の他方の半部８は、環の全域にわたって連続する係合突片１２を具備する。係合突片１２は、一方の半部７の係合溝９に挿入できるように、一方の半部７に向かって接合面８ａから突出する。係合突片１２は、係合溝９の断面形状と相似の断面形状で、係合溝９内に挿入したときに係合突条１１ａに弾性的に嵌合する条溝１２ａを有する。係合突片１２は、半部８の全域又はその一部に、不連続に複数形成してもよい。
【００１３】
バンド２のほぼ中央部には、このバンド２に延長方向の弾性を付与するための矩形半波形状の波形部１３が半径方向外側に突出して形成される。また、この波形部１３の内側両縁には、一対の補強リブ１４が形成される。補強リブ１４は、半円筒状で、波形部１３の中間部の肉厚をバンドの円周方向及び半径方向に厚くして、バンドの円周方向の弾性を調整し、またその塑性変形に伸びに半径方向内側に突出し、先端が容器１の隘部５の外周に当接することができる。バンド２の両端部付近には、一対の締め付けリブ１５が形成される。締め付けリブ１５は、半径方向内側に突出し、先端が容器１の隘部５の外周に当接する。バンド２の波形部１３の円周方向の両側上部には、容器１の注ぎ口６の下面の両側に沿う一対の回り止め突片１６が形成される。
【００１４】
この実施例の飲料サーバーは、バンド２をガラス容器１の隘部５に巻き、把手の半部７，８を相互に強く突き合わせるだけで完成する。即ち、半部７，８を相互に強く突き合わせると、係合突片１２が、係合溝９を弾性的に押し広げながら、その内側に押し込まれ、条溝１２ａが係合突条１１ａに弾性的に嵌合する。係合突片１２と係合溝９は、半部７，８の環の全域にわたって係合するので、半部７，８同士の結合は強固である。接合面７ａ，８ａの相互接合を確認することにより、容易に半部７，８同士の結合を確認できる。
【００１５】
マイクロ波低損失のガラス容器１、合成樹脂製のバンド２と把手３だけで構成されるから、電子レンジでの加熱に適する。バンド２をガラス容器１に巻くとき、当接片１４，リブ１５の端面が隘部５の外周面に当接し、隘部５の外周の形状に対応して、適宜波形部１３を変形させてわずかにバンド２をその延長方向に弾性変形させ、隘部５を確実に締め付ける。これでガラス容器の寸法のばらつきに対応できる。この飲料サーバーを持ち運ぶ際には、手指を環状の把手３内に挿入してこれを握るので、万一、把手３の半部７，８同士の係合が外れても、バンド２の環が開くことはないから、ガラス容器１が把手３から離脱することがなく、安全である。
【産業上の利用可能性】
【００１６】
この発明は、例えば、コーヒー、紅茶等を収容するための飲料サーバーとして利用される。
【図面の簡単な説明】
【００１７】
【図１】本発明の飲料サーバーの一部を切り欠いた平面図である。
【図２】本発明の飲料サーバーの断面図である。
【図３】図２におけるIII−III断面図である。
【図４】バンドと把手の装着前の状態の平面図である。
【図５】バンドと把手の装着前の状態の正面図である。
【図６】従来の飲料サーバーの正面図である。
【符号の説明】
【００１８】
１   ガラス容器
２   バンド
３   把手
４   開口
５   隘部
６   注ぎ口
７    把手の半部
７ａ  接合面
８    把手の半部
８ａ  接合面
９    係合溝
１０  外周壁
１１  外周壁
１１ａ  係合突条
１２  係合突片
１２ａ  条溝
１３  波形部
１４  補強リブ
１５  締め付けリブ
１６  回り止め突片
【図１】
2006136439.tif 000003
【図２】
2006136439.tif 000004
【図３】
2006136439.tif 000005
【図４】
2006136439.tif 000006
【図５】
2006136439.tif 000007
【図６】
2006136439.tif 000008